【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
人間の鼻腔を介して、人間の脳の温度を実質的に、間接的に調節するシステムであって、
前記システムは、前記鼻腔の表面に接触するように配置するようにされた膜組織を有し、前記膜組織は、密閉された空間を形成し、
前記システムは、また、前記空間に流体を入れる入口手段と、
前記空間から流体を取り除く出口手段と、
前記流体を、前記入口手段を介して前記空間に入れ、前記出口手段を介して前記空間の外に循環する手段と、を有するシステム。
【請求項２】
前記鼻腔に温度調節された流体を入れる冷却部材を更に有し、それにより前記流体は、前記鼻腔に直接接触し、または、前記膜組織により前記鼻腔から分離されるかのいずれかである、請求項１に記載のシステム。
【請求項３】
前記システムは、人間の鼻孔を通って入れられて、その先端部により、前記鼻腔の後ろに隣接して配置される、２重の内腔カテーテル手段（３０)を更に有し、前記２重の内腔カテーテル手段は、第一の内腔(３２)と第二の内腔(３８)とを有し、前記第一と第二の内腔は、一組の開口部(３４)により流体で連通し、前記第二の内腔は、膨張可能な風船として構成され、
前記システムはまた、流体(２２)を有する容器(２０)と、
前記流体を、前記容器から、前記２重の内腔カテーテル手段に入れて、前記容器または、レセプタクル(２９）に戻して循環する手段と、を有し、それにより、使用時に、前記風船は、前記鼻腔の内表面を覆うように膨張可能である、請求項１または２に記載のシステム。
【請求項４】
前記容器に温度調節器(２４)が接続され、前記調節器は、例えば冷却装置などの、熱交換装置を介して、前記流体の温度を調節するように構成された、請求項３に記載のシステム。
【請求項５】
前記温度調節された流体を循環する前記手段は、前記カテーテル手段を前記容器または、前記レセプタクルに接続するように構成された一組の管を有する、請求項４に記載のシステム。
【請求項６】
前記２重の内腔カテーテル手段は、前記容器および前記第一の内腔と流体で連通する入口（３１、３１ａ、３１ｂ)を有し、前記入口は、前記容器からの前記流体を受けるように構成され、前記第一の内腔は、前記カテーテル手段の前端部位置（３６）に一組の末端開口部（３４，３４ａ、３４ｂ)を有し、前記端開口部は、前記第二の内腔と流体で連通するように配置され、
前記２重の内腔カテーテル手段は、また、前記第二の内腔および前記容器、または前記レセプタクルと流体で連通する出口（３３、３３ａ、３３ｂ)を有する、請求項１〜５のいずれか一項に記載のシステム。
【請求項７】
前記入口と前記出口は、前記カテーテル手段の近接部分（４０，４０ａ、４０ｂ)に配置される、請求項６に記載のシステム。
【請求項８】
前記流体の前記循環は、前記容器中の前記流体の静水圧により達成される請求項１〜７のいずれか一項に記載のシステム。
【請求項９】
前記流体を循環する前記手段は、更に、前記容器と前記カテーテル手段との間に配置されるポンプ手段(１８)を有する、請求項１〜８のいずれか一項に記載のシステム。
【請求項１０】
前記流体を循環する前記手段は、約２５〜１００ｍｌ／ｍｉｎの流量を供給するように構成される、請求項１〜９のいずれか一項に記載のシステム。
【請求項１１】
前記容器、または前記レセプタクルに隣接する前記管に配置された、圧力調節ノズル（２６，２６ａ、２６ｂ）を更に有し、前記圧力調節ノズルは、前記管に抵抗を設けるように構成され、前記圧力調節ノズルは、調節可能である、請求項１〜１０のいずれか一項に記載のシステム。
【請求項１２】
前記脳の温度を間接的にまたは直接的に登録するように、そして、望ましいレベルの脳の温度を維持するために、熱交換装置を介して、前記容器の前記流体の温度を調節するための前記温度調節器を自動的に制御するように構成された温度監視装置（５０)を更に有する、請求項３に記載のシステム。
【請求項１３】
前記温度監視装置は、ＩＲサーミスタ、ＭＲ装置、近赤外線装置、またはインピーダンス分光装置である、請求項１２に記載のシステム。
【請求項１４】
前記温度監視装置は、人間の例えば額などの皮膚または、人間の耳管に配置される、請求項１３に記載のシステム。
【請求項１５】
前記脳の温度は、約１０〜４１度の間、例えば２０〜３５度である、請求項１２に記載のシステム。
【請求項１６】
前記カテーテル手段は、例えばプラスチック、人工ラテックス、シリコン、またはゴアテックスなどの材料で作られる、請求項３に記載のシステム。
【請求項１７】
前記材料は、親水性の表面または、麻酔薬で覆われる、請求項１６に記載のシステム。
【請求項１８】
複数の管と２重の内腔カテーテル手段とを有する、請求項１〜１７のいずれか一項に記
載のシステムで使用する使い捨てのキット。
【請求項１９】
人間の鼻腔を介して、人間の脳の温度を実質的に、間接的に調節するシステムであって
、
前記システムは、第一の鼻孔を通って前記鼻腔中に入れられる第一の風船カテーテル手
段(６０)を有し、前記第一の風船カテーテルは、第一の風船(６２)と第二の風船(６４)を
有し、前記第一の風船(６２)は、前記鼻腔の後ろに配置され、口への鼻の入口を塞ぐよう
に構成され、前記第二の風船は、前記第一の鼻孔の開口部に配置され、前記第一の鼻孔を
塞ぐように構成され、
前記システムは、また、前記鼻腔の第二の鼻孔を通って入れられる第二の風船カテーテ
ル手段(６８)を有し、前記第二の風船カテーテルは、前記第二の鼻孔の開口部に配置され、前記第二の鼻孔を塞ぐように構成される第三の風船（７０）を有し、
前記システムは、更に、流体(２２)を有する容器(２０)と、
前記流体を、前記容器から前記第一の鼻孔に入れて、前記第一の風船カテーテル手段(６０)の複数の穴(６６)を通って、前記鼻腔に入り循環する手段を有し、それにより、前記流体は、前記鼻腔を洗浄し、前記第二の風船カテーテル手段により、前記第二の鼻孔を通って流出する、または反対方向に洗浄する、システム。
【請求項２０】
人間の鼻腔および口腔を介し、人間の脳の温度を実質的に、間接的に調節するシステムであって、
前記システムは、前記鼻腔の第一の鼻孔を通って入れられる、第一の風船カテーテル手段(６８')を有し、前記第一の風船カテーテルは、前記第一の鼻孔の開口部に配置され、前記第一の鼻孔を塞ぐように構成される第一の風船(７０')を有し、
前記システムは、また、前記鼻腔の第二の鼻孔を通って入れられる、第二の風船カテーテル手段(６８'')を有し、前記第二の風船カテーテルは、前記第二の鼻孔の開口部に配置され、
前記第二の鼻孔を塞ぐように構成された第二の風船(７０'')を有し、
前記システムは、更に、前記口腔を通って入れられた第三の風船カテーテル手段(８０)を有し、前記第三の風船カテーテルは、人間の食道の中間に配置され、前記食道の中間を塞ぐように構成される、第三の風船(８１)を有し、
前記システムは、更に、前記口腔に配置され、人間の口の唇を塞ぐカテーテル手段(８２)と、
流体(２２)を有する容器(２０)と、
前記流体を、前記容器から前記第一と第二の鼻孔に入れて、前記第一と第二の風船カテーテル手段(６８'、６８'')を通って、前記鼻腔に入れて循環する手段と、を有し、それにより、前記流体は、前記鼻腔を洗浄し、前記カテーテル手段(８２)により、口を通って流出する、システム。
【請求項２１】
人間の鼻腔を介して、人間の脳の温度を実質的に間接的に調節するシステムであって、  前記システムは、鼻孔を通って前記鼻腔に入れられる、風船カテーテル手段(６０)を有し、前記風船カテーテル手段は、第一の風船(６２)と第二風船(６４)と開口手段を有し、前記第一の風船(６２)は、前記鼻腔の鼻の隔壁の末端部に隣接する前記鼻腔の後ろに配置され、前記鼻腔を塞ぐように構成され、前記第二の風船は、前記第一の鼻孔の開口部に配置され、前記第一の鼻孔を塞ぐように構成され、前記開口部は、前記第二の風船に隣接して配置され、
前記システムは、また、流体(２２)を有する容器(２０)と、前記流体が、前記容器から前記鼻孔に入り、前記開口手段を通って、前記鼻腔に入り循環する手段と、を有し、それにより、前記流体は、前記風船カテーテル手段の複数の穴(６６)により、前記鼻腔を洗浄し、前記鼻孔から流出する、または、反対方向に循環する、システム。